(57)【要約】【課題】手間をかけずに、薬の服用時間及び患者が薬を服用したかどうかに応じて、患者が薬を服用すべきである旨を報知する。【解決手段】薬が収納されるとともに、薬を服用すべきタイミングを指定可能な服用時間情報が書き込まれたＲＦ−ＩＤタグ１１−１〜１１−４が取り付けられたケース１０−１〜１０−４を、ＲＦ−ＩＤタグ１１−１〜１１−４に書き込まれた情報を読み取るためのアンテナ２１−１〜２１−４が形成された領域に設けられたケース収納袋２０−１〜２０−４に収容しておき、ＲＦ−ＩＤタグ１１−１〜１１−４から読み取られた服用時間情報によって指定されるタイミングから、ＲＦ−ＩＤタグ１１−１〜１１−４に書き込まれた情報が読み取られない状態が発生するまでの間、ケース１０−１〜１０−４に収納された薬が服用されていない旨をランプ３０−１〜３０−４にて報知する。【選択図】  図１
2005013488.tif 000002
【特許請求の範囲】
【請求項１】
服用すべき薬が服用すべきタイミング毎に分けられて配置される少なくとも１つの配置領域を有してなる薬収納具であって、
薬を収納可能に構成されるとともに、前記薬を服用すべきタイミングを指定するための第１の情報が書き込まれたＲＦ−ＩＤタグが取り付けられ、前記配置領域に配置される収納容器と、
前記配置領域に配置された前記収納容器に取り付けられた前記ＲＦ−ＩＤタグに書き込まれた情報を読み取るための情報読取手段と、
前記配置領域に対応して設けられ、当該配置領域に配置された前記収納容器に収納された薬を服用すべきタイミングでありながらも当該薬が服用されていない旨を報知する報知手段と、
前記配置領域に配置された前記収納容器に取り付けられた前記ＲＦ−ＩＤタグに書き込まれた前記第１の情報によって指定されるタイミングから、前記ＲＦ−ＩＤタグに書き込まれた情報が前記情報読取手段にて読み取られない状態が発生するまでの間、前記収納容器に収納された薬が服用されていない旨を前記報知手段を介して報知する制御手段とを有することを特徴とする薬収納具。
【請求項２】
請求項１に記載の薬収納具において、
前記配置領域に対応して設けられ、当該配置領域に配置された前記収納容器に収納された薬が服用された場合にその旨を入力するための指示手段を有し、
前記制御手段は、前記配置領域に配置された前記収納容器に取り付けられた前記ＲＦ−ＩＤタグに書き込まれた前記第１の情報によって指定されるタイミングから、前記ＲＦ−ＩＤタグに書き込まれた情報が前記情報読取手段にて読み取られない状態が発生し、かつ、前記収納容器に収納された薬が服用された旨が前記指示手段を介して入力されるまでの間、前記収納容器に収納された薬が服用されていない旨を前記報知手段を介して報知することを有することを特徴とする薬収納具。
【請求項３】
請求項１または請求項２に記載の薬収納具において、
前記ＲＦ−ＩＤタグには、該ＲＦ−ＩＤタグが取り付けられた前記収納容器に収納された薬を服用すべき患者を識別可能な第２の情報が書き込まれており、
当該薬収納具に取り付け可能に構成され、薬を服用すべき患者を識別可能な患者識別情報が書き込まれたラベルを有し、
前記情報読取手段は、前記ラベルに書き込まれた前記患者識別情報を読み取り、
前記ＲＦ−ＩＤタグに書き込まれた前記第２の識別情報によって識別される患者と前記ラベルに書き込まれた前記患者識別情報によって識別される患者とが同一でない場合に警報が出力される警報出力手段を有し、
前記制御手段は、前記情報読取手段にて前記ＲＦ−ＩＤタグから読み取られた前記第２の情報と前記情報読取手段にて前記ラベルから読み取られた前記患者識別情報とを照合し、両者が一致しない場合に前記警報出力手段を介して警報を出力することを特徴とする薬収納具。
【請求項４】
請求項１または請求項２に記載の薬収納具を用いた薬服用管理システムであって、
前記ＲＦ−ＩＤタグには、該ＲＦ−ＩＤタグが取り付けられた前記収納容器に収納された薬を服用すべき患者を識別可能な第２の情報及び当該薬を識別可能な第３の情報が書き込まれており、
ネットワークを介して前記薬収納具と接続され、前記薬収納具にて前記ＲＦ−ＩＤタグから読み取られた前記第１、第２及び第３の情報に基づいて薬の服用状態を管理する管理手段を有し、
前記薬収納具は、前記収納容器に収納された薬が服用されていない旨が前記報知手段を介して報知される場合に、前記情報読取手段にて前記ＲＦ−ＩＤタグから読み取られた前記第１、第２及び第３の情報をネットワークを介して前記管理手段に通知する通知手段を有することを特徴とする薬服用管理システム。
【請求項５】
請求項４に記載の薬服用管理システムにおいて、
前記管理手段は、前記薬収納具から通知された前記情報に基づいて、前記収納容器に収納された薬を服用すべきタイミングでありながらも当該薬が服用されていない旨を出力する服用状態出力手段を有することを特徴とする薬服用管理システム。
【発明の詳細な説明】
【０００１】
【発明の属する技術分野】
本発明は、患者が服用する薬を収納する薬収納具及びこれを用いた薬服用管理システムに関し、特に、薬の飲み忘れを防止することができる薬収納具及びこれを用いた薬服用管理システムに関する。
【０００２】
【従来の技術】
一般に、病院や医院等の医療機関において怪我や病気等の診察や治療が行われた場合、その診療や治療を受けた患者に対して、怪我や病気に応じた薬が処方される。このような薬の処方は、病院に通院している患者に限らず、病院に入院している患者に対しても行われ、病院に通院している患者、あるいは入院している患者は、医師により指定された服用方法に従って、処方された薬を服用することになる。
【０００３】
患者に対して処方された薬は、その患者の怪我や病気に応じた種類、量、服用回数がそれぞれ設定されているため、患者はこの服用方法に従って服用することが好ましいが、薬の服用意識がよほど高くない限り、薬の飲み忘れが生じてしまう虞れがあることは否めない。また、一度に服用する薬が複数ある場合等において、服用した薬を再度服用してしまう虞れもある。
【０００４】
このような薬の飲み忘れを防止する技術として、例えば、薬を収納するケースに専用のアラーム時計装置を組み合わせたものが考えられている（例えば、特許文献１参照。）。
【０００５】
この技術を用いた場合、薬を収納するケースに組み合わされたアラーム時計装置を、薬の服用時間にアラームが出力されるようにセットしておけば、薬の服用時間にアラームが出力され、それにより、患者が薬の服用時間になったことを認識することができ、それにより、薬の飲み忘れを防止することができる。
【０００６】
また、患者が服用する薬を服用時間毎に区分して収納し、服用時間になった際に、ＬＥＤあるいは音声等によって、薬の服用時間である旨を所定時間だけ患者に報知する技術が考えられている（例えば、特許文献２参照。）。
【０００７】
この技術を用いた場合は、薬の服用時間にＬＥＤが点滅したり、音声にて薬の服用時間であることが出力されたりすることにより、患者が薬の服用時間になったことを認識することができ、それにより、薬の飲み忘れを防止することができる。
【０００８】
【特許文献１】
特開平７−２９９１２４号公報
【特許文献２】
特開２００１−１９８１９５号公報
【０００９】
【発明が解決しようとする課題】
しかしながら、上述したような従来の技術においては、以下に記載するような問題点がある。
【００１０】
（１）薬を収納するケースに専用のアラーム時計装置を組み合わせたものにおいては、１回の薬の服用についての患者に対する報知であるため、薬の服用毎に薬をケースに収納し、アラームをセットしなければならず、そのための手間がかかってしまう。
【００１１】
（２）患者が服用する薬を服用時間毎に区分して収納し、服用時間になった際に、ＬＥＤあるいは音声等によって、薬の服用時間である旨が所定時間だけ患者に報知されるものにおいては、収納された薬の服用時間になった際に、所定時間だけＬＥＤを点滅させたり音声にて薬の服用時間であることを出力したりすることにより、患者に薬の服用時間であることを認識させるものであるため、その後、患者が薬を服用したかどうかを検出することはできない。そのため、ＬＥＤの点滅や音声の出力によって薬の服用時間であることが出力されている時間に、患者が、例えばその装置のそばにいない等でＬＥＤの点滅あるいは音声の出力による薬の服用時間の報知を認識することができなかった場合、薬を服用していないにもの関わらず、その旨を患者に報知することができない。
【００１２】
本発明は、上述したような従来の技術が有する問題点に鑑みてなされたものであって、手間をかけずに、薬の服用時間及び患者が薬を服用したかどうかに応じて、患者が薬を服用すべきである旨を報知することができる薬収納具及びこれを用いた薬服用管理システムを提供することを目的とする。
【００１３】
【課題を解決するための手段】
上記目的を達成するために本発明は、
服用すべき薬が服用すべきタイミング毎に分けられて配置される少なくとも１つの配置領域を有してなる薬収納具であって、
薬を収納可能に構成されるとともに、前記薬を服用すべきタイミングを指定するための第１の情報が書き込まれたＲＦ−ＩＤタグが取り付けられ、前記配置領域に配置される収納容器と、
前記配置領域に配置された前記収納容器に取り付けられた前記ＲＦ−ＩＤタグに書き込まれた情報を読み取るための情報読取手段と、
前記配置領域に対応して設けられ、当該配置領域に配置された前記収納容器に収納された薬を服用すべきタイミングでありながらも当該薬が服用されていない旨を報知する報知手段と、
前記配置領域に配置された前記収納容器に取り付けられた前記ＲＦ−ＩＤタグに書き込まれた前記第１の情報によって指定されるタイミングから、前記ＲＦ−ＩＤタグに書き込まれた情報が前記情報読取手段にて読み取られない状態が発生するまでの間、前記収納容器に収納された薬が服用されていない旨を前記報知手段を介して報知する制御手段とを有することを特徴とする。
【００１４】
また、前記配置領域に対応して設けられ、当該配置領域に配置された前記収納容器に収納された薬が服用された場合にその旨を入力するための指示手段を有し、
前記制御手段は、前記配置領域に配置された前記収納容器に取り付けられた前記ＲＦ−ＩＤタグに書き込まれた前記第１の情報によって指定されるタイミングから、前記ＲＦ−ＩＤタグに書き込まれた情報が前記情報読取手段にて読み取られない状態が発生し、かつ、前記収納容器に収納された薬が服用された旨が前記指示手段を介して入力されるまでの間、前記収納容器に収納された薬が服用されていない旨を前記報知手段を介して報知することを有することを特徴とする。
【００１５】
また、前記ＲＦ−ＩＤタグには、該ＲＦ−ＩＤタグが取り付けられた前記収納容器に収納された薬を服用すべき患者を識別可能な第２の情報が書き込まれており、
当該薬収納具に取り付け可能に構成され、薬を服用すべき患者を識別可能な患者識別情報が書き込まれたラベルを有し、
前記情報読取手段は、前記ラベルに書き込まれた前記患者識別情報を読み取り、
前記ＲＦ−ＩＤタグに書き込まれた前記第２の識別情報によって識別される患者と前記ラベルに書き込まれた前記患者識別情報によって識別される患者とが同一でない場合に警報が出力される警報出力手段を有し、
前記制御手段は、前記情報読取手段にて前記ＲＦ−ＩＤタグから読み取られた前記第２の情報と前記情報読取手段にて前記ラベルから読み取られた前記患者識別情報とを照合し、両者が一致しない場合に前記警報出力手段を介して警報を出力することを特徴とする。
【００１６】
また、前記薬収納具を用いた薬服用管理システムであって、
前記ＲＦ−ＩＤタグには、該ＲＦ−ＩＤタグが取り付けられた前記収納容器に収納された薬を服用すべき患者を識別可能な第２の情報及び当該薬を識別可能な第３の情報が書き込まれており、
ネットワークを介して前記薬収納具と接続され、前記薬収納具にて前記ＲＦ−ＩＤタグから読み取られた前記第１、第２及び第３の情報に基づいて薬の服用状態を管理する管理手段を有し、
前記薬収納具は、前記収納容器に収納された薬が服用されていない旨が前記報知手段を介して報知される場合に、前記情報読取手段にて前記ＲＦ−ＩＤタグから読み取られた前記第１、第２及び第３の情報をネットワークを介して前記管理手段に通知する通知手段を有することを特徴とする。
【００１７】
また、前記管理手段は、前記薬収納具から通知された前記情報に基づいて、前記収納容器に収納された薬を服用すべきタイミングでありながらも当該薬が服用されていない旨を出力する服用状態出力手段を有することを特徴とする。
【００１８】
（作用）
上記のように構成された本発明においては、ＲＦ−ＩＤメディアが取り付けられた収容容器に、服用すべき薬を服用すべきタイミング毎に収納するとともに、この収納容器に取り付けられたＲＦ−ＩＤタグに、薬を服用すべきタイミングを指定するための第１の情報を書き込んでおく。この収納容器が配置領域に配置されると、配置領域に配置された収納容器に取り付けられたＲＦ−ＩＤタグに書き込まれた第１の情報が情報読取手段にて読み取られるが、収納容器が配置領域から取り外されると、ＲＦ−ＩＤタグに書き込まれた第１の情報は情報読取手段にて読み取られなくなる。そこで、制御手段において、配置領域に配置された収納容器に取り付けられたＲＦ−ＩＤタグに書き込まれた第１の情報によって指定されるタイミングとなった場合、そのタイミングから、ＲＦ−ＩＤタグに書き込まれた情報が情報読取手段にて読み取られない状態が発生するまでの間、収納容器に収納された薬が服用されていない旨が報知手段を介して報知される。
【００１９】
このように、収納容器に収納された薬の服用タイミングから、収納容器に収容された薬を患者が服用するために収納容器を配置領域から取り外すまでの間、収納容器に収納された薬が服用されていない旨が報知手段を介して報知されるので、患者が薬を服用すべきタイミングにて薬を服用していない場合に、薬を服用するまで、患者に対して、収納容器に収納された薬が服用されていない旨を報知することができる。
【００２０】
また、配置領域に配置された収納容器に収納された薬が服用された場合にその旨を入力するための指示手段を配置領域毎に設け、制御手段において、配置領域に配置された収納容器に取り付けられたＲＦ−ＩＤタグに書き込まれた第１の情報によって指定されるタイミングから、ＲＦ−ＩＤタグに書き込まれた情報が情報読取手段にて読み取られない状態が発生し、かつ、収納容器に収納された薬が服用された旨が指示手段を介して入力されるまでの間、収納容器に収納された薬が服用されていない旨を報知すれば、患者やその家族が、配置領域から収納容器を取り外したものの、収納容器に収納された薬を患者が服用せずに収納容器を再度配置領域に配置した場合に、収納容器に収納された薬が服用されたと判断されてしまうことを防ぐことができる。
【００２１】
また、ＲＦ−ＩＤタグに、該ＲＦ−ＩＤタグが取り付けられた収納容器に収納された薬を服用すべき患者を識別可能な第２の情報を書き込んでおき、また、薬を服用すべき患者を識別可能な患者識別情報が書き込まれたラベルを取り付け、情報読取手段にて、ラベルに書き込まれた患者識別情報を読み取り、制御手段において、情報読取手段にてＲＦ−ＩＤタグから読み取られた第２の情報と情報読取手段にてラベルから読み取られた患者識別情報とを照合し、両者が一致しない場合に警報出力手段を介して警報を出力するようにすれば、患者が他の患者に処方された薬を誤って服用してしまうことが防止される。
【００２２】
また、ＲＦ−ＩＤタグに、このＲＦ−ＩＤタグが取り付けられた収納容器に収納された薬を服用すべき患者を識別可能な第２の情報及び薬を識別可能な第３の情報を書き込んでおき、収納容器に収納された薬が服用されていない旨が報知手段を介して報知される場合に、情報読取手段にてＲＦ−ＩＤタグから読み取られた第１、第２及び第３の情報をネットワークを介して管理手段に通知すれば、管理手段において、通知された第１、第２及び第３の情報に基づいて薬の服用状態を管理することも可能である。
【００２３】
また、管理手段に、薬収納具から通知された情報に基づいて、収納容器に収納された薬を服用すべきタイミングにて当該薬が服用されていない旨を出力する服用状態出力手段を設ければ、管理手段においても、収納容器に収納された薬を服用すべきタイミングにて当該薬が服用されていない旨を認識することができる。
【００２４】
【発明の実施の形態】
以下に、本発明の実施の形態について図面を参照して説明する。
【００２５】
図１は、本発明の薬収納具の実施の一形態を示す図であり、（ａ）は薬が収納されたケースが取り付けられている状態を示す図、（ｂ）はケース及び患者ラベルが取り外された状態を示す図である。また、図２は、図１に示した薬収納具の構成を示すブロック図である。
【００２６】
本形態は図１及び図２に示すように、薬を収納可能に構成されるとともに非接触状態にて少なくとも情報の読み取りが可能なＲＦ−ＩＤタグ１１−１〜１１−４が取り付けられた収納容器であるケース１０−１〜１０−４と、ケース１０−１〜１０−４が配置される配置領域に形成され、ケース１０−１〜１０−４に取り付けられたＲＦ−ＩＤタグ１１−１〜１１−４に書き込まれた情報を読み取るためのアンテナ２１−１〜２１−４と、アンテナ２１−１〜２１−４が形成された領域にてケース１０−１〜１０−４を収容するためのケース収容袋２０−１〜２０−４と、表面に患者名が記載されるとともに、患者を識別可能な患者識別情報が書き込まれたＲＦ−ＩＤタグ６１が取り付けられた患者ラベル６０と、患者ラベル６０に取り付けられたＲＦ−ＩＤタグ６１に書き込まれた患者識別情報を読み取るためのアンテナ６２と、ケース収容袋２０−１〜２０−４に対応して設けられ、ケース収容袋２０−１〜２０−４に収容されたケース１０−１〜１０−４に収納された薬を服用すべきである旨を報知する報知手段であるランプ３０−１〜３０−４と、ケース収容袋２０−１〜２０−４に収容されたケース１０−１〜１０−４が、患者ラベル６０によって識別される患者が服用すべき薬とは異なる薬が収納されたものである場合に警報を出力する警報出力手段であるブザー４０と、ケース収容袋２０−１〜２０−４に対応して設けられ、ケース収容袋２０−１〜２０−４に収容されたケース１０−１〜１０−４に収納された薬が服用された場合に操作される指示手段であるボタン５０−１〜５０−４と、ケース１０−１〜１０−４に取り付けられたＲＦ−ＩＤタグ１１−１〜１１−４に書き込まれた情報をアンテナ２１−１〜２１−４を介して読み取るとともに、患者ラベル６０に取り付けられたＲＦ−ＩＤタグ６１に書き込まれた患者識別情報をアンテナ６２を介して読み取る情報読取部７０と、ランプ３０−１〜３０−４が点灯した場合に情報読取部７０にてアンテナ２１−１〜２１−４を介してＲＦ−ＩＤタグ１１−１〜１１−４から読み取られた情報に、当該薬収納具を識別可能な薬収納具ＩＤを付加して通知する通知部８０と、情報読取部７０にてアンテナ２１−１〜２１−４を介してＲＦ−ＩＤタグ１１−１〜１１−４から読み取られた情報及びボタン５０−１〜５０−４における操作に基づいて、ランプ３０−１〜３０−４の点灯／消灯を制御するとともに、情報読取部７０にてアンテナ６２を介してＲＦ−ＩＤタグ６１から読み取られた患者識別情報と情報読取部７０にてアンテナ２１−１〜２１−４を介してＲＦ−ＩＤタグ１１−１〜１１−４から読み取られた情報とに基づいてブザー４０における警報出力を制御する制御部９０とから構成されている。
【００２７】
以下に、上記のように構成された薬収納具の動作について、病院に入院している患者に対する薬服用管理処理を例に挙げて参照して説明する。
【００２８】
患者が病院に入院した際に、患者ラベル６０に患者の氏名を記載するとともに、患者ラベル６０に取り付けられたＲＦ−ＩＤタグ６１に、患者を識別可能な患者識別情報である患者ＩＤを書き込み、この患者ラベル６０を、患者が入院するベッドの傍らにベッドに対応して設けられた薬収納具に取り付ける。
【００２９】
また、薬収納具に薬を収納する前に、まず、患者が服用すべき薬を、服用すべきタイミングである１回毎に分け、１回毎にケース１０−１〜１０−４に収納する。なお、本形態においては、４つのケース１０−１〜１０−４を用いているが、これは、１日の服用分を、朝、昼、夕、臨時としてそれぞれ１回の服用分ずつケース１０−１〜１０−４に収納している。
【００３０】
次に、ケース１０−１〜１０−４に取り付けられたＲＦ−ＩＤタグ１１−１〜１１−４に対して、ケース１０−１〜１０−４に収納された薬を服用すべきタイミングを指定可能な第１の情報である服用時間情報と、ケース１０−１〜１０−４に収納された薬を服用する患者を識別可能な第２の情報である患者ＩＤと、ケース１０−１〜１０−４に収納された薬を識別可能な第３の情報である投薬ＩＤとを書き込む。このＲＦ−ＩＤタグ１１−１〜１１−４に書き込まれる情報のうち、服用時間情報においては、例えば、ある時間を規準として８時間おきに設定したり、毎食後の時間を設定したりすることが考えられる。
【００３１】
このように、薬が収納されるとともに、取り付けられたＲＦ−ＩＤタグ１１−１〜１１−４に、服用時間情報、患者ＩＤ及び投薬ＩＤが書き込まれたケース１０−１〜１０−４をケース収容袋２０−１〜２０−４に収容する。この際、ケース１０−１〜１０−４のＲＦ−ＩＤタグ１１−１〜１１−４が取り付けられた面がアンテナ２１−１〜２１−４と対向するようにケース１０−１〜１０−４をケース収容袋２０−１〜２０−４に収容する。
【００３２】
なお、ケース収容袋２０−１〜２０−４及びケース１０−１〜１０−４の形状は、アンテナ２１−１〜２１−４とＲＦ−ＩＤタグ１１−１〜１１−４とが互いに対向するようにのみケース１０−１〜１０−４がケース収容袋２０−１〜２０−４に収容可能な形状にすることが好ましい。さらには、朝、昼、夕、臨時で服用する薬の種類や量が異なる場合に、看護士等が、薬が収納されたケースの収容位置を間違えたりすることを防止するために、ケース収容袋２０−１〜２０−４及びケース１０−１〜１０−４の形状を、配置される位置においてのみ収容可能な形状（例えば、ケース収容袋２０−１にはケース１０−１しか入らない形状）にしたり、各収容位置のケース収容袋２０−１〜２０−４の色を互いに異なる色にして、各々のケース収容袋２０−１〜２０−４に収容されるケース１０−１〜１０−４の色をケース収容袋２０−１〜２０−４と略同色にする等すれば、ケース収容の人為的な間違いを防止することができる。また、別の方法としては、ＲＦ−ＩＤタグ１１−１〜１１−４に、ケース２０−１〜２０−４の収容位置に関する情報を記録しておき、ＲＦ−ＩＤタグ１１−１〜１１−４に書き込まれた情報がアンテナ２１−１〜２１−４にて読み取られた際に、ＲＦ−ＩＤタグ１１−１〜１１−４から読み取られた収容位置に関する情報とアンテナ２１−１〜２１−４の位置情報とを照合して、両者が一致しない場合にランプやブザー等により警告をすることも考えられる。
【００３３】
その後、薬収納具において薬収納具に収納された薬の服用管理が行われる。
【００３４】
図３は、図１及び図２に示した薬収納具の動作を説明するためのフローチャートである。
【００３５】
薬収納具に患者ラベルが６０が取り付けられると、患者ラベル６０に取り付けられたＲＦ−ＩＤタグ６１に書き込まれた患者ＩＤが、薬収納具のアンテナ６２を介して情報読取部７０にて読み取られる。
【００３６】
また、薬が収納されたケース１０−１〜１０−４がケース収容袋２０−１〜２０−４に収容されると、ケース１０−１〜１０−４に取り付けられたＲＦ−ＩＤタグに書き込まれた、服用時間情報、患者ＩＤ及び投薬ＩＤがアンテナ２１−１〜２１−４を介して情報読取部７０にて読み取られる。
【００３７】
なお、各アンテナ２１−１〜２１−４とＲＦ−ＩＤタグ１１−１〜１１−４との通信可能距離は、配置されたアンテナ２１−１〜２１−４において、他の配置領域に配置されるケースに取り付けられたＲＦ−ＩＤタグの情報が読み取られないような通信可能距離に設計されているものとする。
【００３８】
このようにして、情報読取部７０においては、患者ラベル６０に取り付けられたＲＦ−ＩＤタグ６１に書き込まれた患者ＩＤがアンテナ６２を介して読み取られるとともに、ケース１０−１〜１０−４に取り付けられたＲＦ−ＩＤタグ１１−１〜１１−４に書き込まれた、服用時間情報、患者ＩＤ及び投薬ＩＤがアンテナ２１−１〜２１−４を介して読み取られる（ステップＳ１）。
【００３９】
次に、制御部９０において、患者ラベル６０に取り付けられたＲＦ−ＩＤタグ６１からアンテナ６２を介して情報読取部７０にて読み取られた患者ＩＤと、ケース１０−１〜１０−４に取り付けられたＲＦ−ＩＤタグ１１−１〜１１−４からアンテナ２１−１〜２１−４を介して情報読取部７０にて読み取られた患者ＩＤとが照合され（ステップＳ２）、両者が一致しない場合、すなわち、患者ラベル６０に取り付けられたＲＦ−ＩＤタグ６１に書き込まれた患者ＩＤによって識別される患者と、ケース１０−１〜１０−４に取り付けられたＲＦ−ＩＤタグ１１−１〜１１−４に書き込まれた患者ＩＤによって識別される患者とが同一でない場合、ケース収容袋２０−１〜２０−４に収容されたケース１０−１〜１０−４が、患者ラベル６０によって識別される患者が服用すべき薬とは異なる薬が収納されたものであると判断され、ブザー４０を介して警報が出力される（ステップＳ３）。これにより、ケース収容袋２０−１〜２０−４に収容されたケース１０−１〜１０−４が、患者ラベル６０によって識別される患者が服用すべき薬とは異なる薬が収納されたものである場合にその旨が検出され、患者が他の患者に処方された薬を誤って服用してしまうことが防止される。なお、この警報は、病室内にて出力されることを考慮すると、ブザー４０ではなく、ランプ等によって出力することも考えられる。
【００４０】
また、患者ラベル６０に取り付けられたＲＦ−ＩＤタグ６１からアンテナ６２を介して情報読取部７０にて読み取られた患者ＩＤと、ケース１０−１〜１０−４に取り付けられたＲＦ−ＩＤタグ１１−１〜１１−４からアンテナ２１−１〜２１−４を介して情報読取部７０にて読み取られた患者ＩＤとが一致する場合は、制御部９０において、ケース１０−１〜１０−４に取り付けられたＲＦ−ＩＤタグ１１−１〜１１−４からアンテナ２１−１〜２１−４を介して情報読取部７０にて読み取られた服用時間情報に基づいて、薬の服用時間になったかどうかが判断される（ステップＳ４）。ここで、制御部９０においては、タイマー（不図示）が内蔵されており、このタイマーによる時間とケース１０−１〜１０−４に取り付けられたＲＦ−ＩＤタグ１１−１〜１１−４からアンテナ２１−１〜２１−４を介して情報読取部７０にて読み取られた服用時間情報とが比較され、それにより、薬の服用時間になったかどうかが判断されることになる。
【００４１】
制御部９０において、薬の服用時間になったと判断された場合は、薬収納具の盤面に設けられたランプ３０−１〜３０−４のうち、その判断対象となった服用時間情報が読み取られたＲＦ−ＩＤタグが取り付けられたケースが収容されたケース収容袋に対応するランプが点灯する（ステップＳ５）。これにより、患者に対して、点灯しているランプに対応するケース収容袋に収容されたケース内の薬の服用時間であり、かつ、その薬がまだ服用されていない旨が報知されることになる。なお、以下の説明においては、ケース収容袋２０−１に収容されたケース１０−１内の薬の服用時間となり、ランプ３０−１が点灯したものとする。また、服用時間になった直後にランプが点灯するのではなく、ステップＳ５にて薬の服用時間になったと判断された後、さらに、所定の時間が経過したかどうかを判断し、服用時間から所定の時間が経過した後に、ランプを点灯させることも考えられる。この場合、患者に対して、点灯しているランプに対応するケース収容袋に収容されたケース内の薬の服用時間が過ぎているにも関わらず、その薬がまだ服用されていない旨が報知されることになる。
【００４２】
その後、制御部９０において、ケース１０−１に取り付けられたＲＦ−ＩＤタグ１１−１に書き込まれた情報が情報読取部７０にてアンテナ２１−１を介して読み取られない状態が発生した場合であって（ステップＳ６）、薬収納具の盤面に設けられたボタン５０−１〜５０−４のうち、ランプ３０−１に対応するボタン５０−１が押下された場合（ステップＳ７）、ランプ３０−１及びボタン５０−１に対応したケース収容袋２０−１からケース１０−１が取り出され、ケース１０−１に収納された薬が服用されたと判断され、ランプ３０−１が消灯する（ステップＳ８）。ここで、情報読取部７０においては、ケース１０−１〜１０−４に取り付けられたＲＦ−ＩＤタグ１１−１〜１１−４に書き込まれた情報がアンテナ２１−１〜２１−４を介して所定の周期（例えば、３秒程度毎）で読み取られている。このため、ケース１０−１に取り付けられたＲＦ−ＩＤタグ１１−１に書き込まれた情報が情報読取部７０にてアンテナ２１−１を介して読み取られない状態が発生した場合、ケース収容袋２０−１からケース１０−１が取り出されたと判断されることになる。また、ケース収容袋２０−１から取り出されたケース１０−１に収納された薬が服用されると、看護士等、予め決められた人物によってボタン５０−１が押下され、これにより、ケース１０−１に収納された薬が服用されたと判断されることになる。なお、ケース１０−１〜１０−４からの薬の取り出しやボタン５０−１〜５０−４の押下は、看護士等の予め決められた人物のみによって行われることが好ましい。そのためには、ケース１０−１〜１０−４からの薬の取り出しについては例えば、暗証番号入力装置（不図示）を設けておき、予め決められた暗証番号が入力された場合のみ、ケース収容袋２０−１〜２０−４からケース１０−１〜１０−４を取り出し可能に構成したり、ケース１０−１〜１０−４に鍵を設けておくこと等が考えられる。また、ボタン５０−１〜５０−４の押下については例えば、識別情報が書き込まれたＲＦ−ＩＤ付きのリストバンドを看護士等の予め決められた人物に装着させておき、図１及び図２に示した薬収納具に設けられた読取装置（不図示）にてリストバンドから識別情報を読み取り、ボタン５０−１〜５０−４が押下され、かつ、リストバンドから読み取られた識別情報が、予め操作を許可されたものである場合のみ、ランプ３０−１〜３０−４が消灯するように構成すること等が考えられる。
【００４３】
なお、本形態においては、患者ラベル６０が取り付けられる領域に、患者ラベル６０のＲＦ−ＩＤタグ６１に書き込まれた情報を読み取るためのアンテナ６２が形成され、また、ケース収容袋２０−１〜２０−４が設けられた領域に、ケース１０−１〜１０−４に取り付けられたＲＦ−ＩＤタグ１１−１〜１１−４に書き込まれた情報を読み取るためのアンテナ２１−１〜２１−４がそれぞれ形成されているが、患者ラベル６０のＲＦ−ＩＤタグ６１及びケース１０−１〜１０−４に取り付けられたＲＦ−ＩＤタグ１１−１〜１１−４に書き込まれた情報を全て読み取ることが可能な形状を有する１つのアンテナを設け、情報読取部７０におけるアンチコリジョン制御にてそれぞれの情報を読み取ることも考えられる。その場合、ケース収容袋２０−１〜２０−４からどのケースが取り出されたかを判断するために、ケース２０−１〜２０−４のそれぞれに、ケース１０−１〜１０−４の収納位置を示す情報を記憶しておく必要がある。
【００４４】
また、アンテナ２１−１〜２１−４が形成された領域にケース収容袋２０−１〜２０−４を設け、このケース収容袋２０−１〜２０−４に、薬が収納されたケース１０−１〜１０−４を収容することにより、アンテナ２１−１〜２１−４が形成された領域に、薬が収納されたケース１０−１〜１０−４が配置されているが、アンテナ２１−１〜２１−４が形成された領域と、ケース１０−１〜１０−４の一面にそれぞれ面ファスナー等の互いに勘合し合う部材を設け、それにより、アンテナ２１−１〜２１−４が形成された領域に、薬が収納されたケース１０−１〜１０−４を配置することも考えられる。
【００４５】
また、本形態においては、制御部９０において、薬の服用時間になったと判断された場合に、薬収納具の盤面に設けられたランプ３０−１〜３０−４のうち、その判断対象となった服用時間情報が読み取られたＲＦ−ＩＤタグが取り付けられたケースが収容されたケース収容袋に対応するランプが点灯することにより、患者に対して、点灯しているランプに対応するケース収容袋に収容されたケース内の薬を服用すべき時間でありながらもその薬がまだ服用されていない旨が報知されているが、患者に対するその旨の報知は、ランプの点灯に限らず、ブザーによる警報出力や、音声による報知等も考えられる。
【００４６】
また、本形態においては、ケース収容袋２０−１〜２０−４、ランプ３０−１〜３０−４及びボタン５０−１〜５０−４がそれぞれ４つずつ設けられており、患者が服用すべき薬が４つのケース１０−１〜１０−４に分けられて収納されているが、その数は４つに限らず、患者が服用すべき薬の種類や服用回数、あるいは、病院における管理方法に応じて任意に設定することができる。
【００４７】
以下に、上述した薬収納具を用いた薬服用管理システムについて説明する。
【００４８】
図４は、図１及び図２に示した薬収納具を用いた薬服用管理システムの一例を示す図である。
【００４９】
図４に示すように、本形態における薬服用管理システムにおいては、患者が入院するためのベッド２ａ−１〜２ａ−６，２ｂ−１〜２ｂ−６がそれぞれ設置された病室１００ａ，１００ｂのそれぞれに、ベッド２ａ−１〜２ａ−６，２ｂ−１〜２ｂ−６に対応するように、図１及び図２に示した薬収納具１ａ−１〜１ａ−６，１ｂ−１〜１ｂ−６が設置されており、これらの薬収納具１ａ−１〜１ａ−６，１ｂ−１〜１ｂ−６は、ネットワークとなるＬＡＮ２００によって互いに接続されており、ナースセンター３００に設置された管理装置５に接続されている。また、ナースセンター３００に設置された管理装置５においては、病室１００ａ，１００ｂに入院している患者の薬の服用状態を確認するために、薬収納具１ａ−１〜１ａ−６，１ｂ−１〜１ｂ−６のそれぞれに対応した服用状態出力手段であるランプ１０１ａ−１〜１０１ａ−６，１０１ｂ−１〜１０１ｂ−６が設けられている。また、病室１００ａ，１００ｂの廊下側においても、病室１００ａ，１００ｂに入院している患者の薬の服用状態を確認するために、薬収納具１ａ−１〜１ａ−６，１ｂ−１〜１ｂ−６のそれぞれに対応したランプ（不図示）が設けられた表示装置４ａ，４ｂが設置されている。なお、本形態においては、２つの病室１００ａ，１００ｂが設置され、また、その病室１００ａ，１００ｂのそれぞれに６つのベッド２ａ−１〜２ａ−６，２ｂ−１〜２ｂ−６及びそれに対応して６つの薬収納具１ａ−１〜１ａ−６，１ｂ−１〜１ｂ−６が設置されているが、それらの数は６つに限るものではない。
【００５０】
以下に、上記のように構成された薬服用管理システムにおける薬の服用状態の管理方法について説明する。
【００５１】
病室１００ａ，１００ｂにそれぞれ設置された薬収納具１ａ−１〜１ａ−６，１ｂ−１〜１ｂ−６においては、情報読取部７０において、ケース１０−１〜１０−４に取り付けられたＲＦ−ＩＤタグ１１−１〜１１−４に書き込まれた、服用時間情報、患者ＩＤ及び投薬ＩＤがアンテナ２１−１〜２１−４を介して読み取られている。
【００５２】
その状態において、薬収納具１ａ−１〜１ａ−６，１ｂ−１〜１ｂ−６にて上述したような条件にてランプ３０−１〜３０−４が点灯した場合、通知部８０において、情報読取部７０にてケース１０−１〜１０−４に取り付けられたＲＦ−ＩＤタグ１１−１〜１１−４から読み取られた、服用時間情報、患者ＩＤ及び投薬ＩＤに、薬収納具１ａ−１〜１ａ−６，１ｂ−１〜１ｂ−６を識別可能な薬収納具ＩＤが付加されて、ＬＡＮ２００上に送信される。なお、以下の説明においては、薬収納具１ａ−１のランプ３０−１が点灯し、薬収納具１ａ−１の通知部８０から、服用時間情報、患者ＩＤ及び投薬ＩＤに、薬収納具１ａ−１を識別可能な薬収納具ＩＤが付加された情報が、ＬＡＮ２００上に送信されたものとする。
【００５３】
服用時間情報、患者ＩＤ及び投薬ＩＤに、薬収納具１ａ−１を識別可能な薬収納具ＩＤが付加された情報が、薬収納具１ａ−１からＬＡＮ２００上に送信されると、表示装置４ａにおいて、薬収納具１ａ−１に対応して設けられたランプが点灯する。これにより、病室１００ａ前の廊下において、病室１００ａ内のベッド２ａ−１に入院している患者が服用すべき薬が服用されていない旨を認識することができる。
【００５４】
また、薬収納具１ａ−１から送信された、服用時間情報、患者ＩＤ及び投薬ＩＤに、薬収納具１ａ−１を識別可能な薬収納具ＩＤが付加された情報は、ＬＡＮ２００を介して、ナースセンター３００に設置された管理装置５に通知される。
【００５５】
管理装置５においては、ＬＡＮ２００を介して薬収納具１ａ−１から送信されてきた情報のうち、まず、薬収納具１ａ−１を識別可能な薬収納具ＩＤによって、情報の送信元が薬収納具１ａ−１であることが認識され、ランプ１０１ａ−１〜１０１ａ−６，１０１ｂ−１〜１０１ｂ−６のうち、薬収納具１ａ−１に対応するランプ１０１ａ−１が点灯する。これにより、ナースセンター３００において、薬収納具１ａ−１に収納された薬が服用される時間が過ぎているにも関わらず服用されていない旨が認識される。
【００５６】
また、ナースセンター３００においては、ＬＡＮ２００を介して薬収納具１ａ−１から送信されてきた情報のうち、服用時間情報、患者ＩＤ及び投薬ＩＤを用いて、どの患者がいつの服用時間のどの薬を服用してないかが認識される。
【００５７】
その後、薬収納具１ａ−１において、ケース１０−１に取り付けられたＲＦ−ＩＤタグ１１−１に書き込まれた情報が情報読取部７０にてアンテナ２１−１を介して読み取られない状態が発生し、かつ、薬収納具の盤面に設けられたボタン５０−１〜５０−４のうち、ランプ３０−１に対応するボタン５０−１が押下されることにより、ランプ３０−１が消灯した場合、薬収納具１ａ−１の通知部８０から、上記同様に、服用時間情報、患者ＩＤ及び投薬ＩＤに、薬収納具１ａ−１を識別可能な薬収納具ＩＤが付加された情報が、ＬＡＮ２００上に再度送信される。
【００５８】
服用時間情報、患者ＩＤ及び投薬ＩＤに、薬収納具１ａ−１を識別可能な薬収納具ＩＤが付加された情報が、薬収納具１ａ−１からＬＡＮ２００上に送信されると、表示装置４ａにおいて、薬収納具１ａ−１に対応して設けられたランプが消灯する。
【００５９】
また、薬収納具１ａ−１から送信された、服用時間情報、患者ＩＤ及び投薬ＩＤに、薬収納具１ａ−１を識別可能な薬収納具ＩＤが付加された情報は、ＬＡＮ２００を介してナースセンター３００に設置された管理装置５に通知される。
【００６０】
管理装置５においては、ＬＡＮ２００を介して薬収納具１ａ−１から送信されてきた情報のうち、まず、薬収納具１ａ−１を識別可能な薬収納具ＩＤによって、情報の送信元が薬収納具１ａ−１であることが認識され、ランプ１０１ａ−１〜１０１ａ−６，１０１ｂ−１〜１０１ｂ−６のうち、薬収納具１ａ−１に対応するランプ１０１ａ−１が消灯する。これにより、ナースセンター３００において、薬収納具１ａ−１に収納された薬が服用された旨が認識される。
【００６１】
また、ナースセンター３００においては、ＬＡＮ２００を介して薬収納具１ａ−１から送信されてきた情報のうち、服用時間情報、患者ＩＤ及び投薬ＩＤを用いて、どの患者がいつの服用時間のどの薬を服用していなかったものの、その後服用したかが認識される。
【００６２】
上述したような薬の服用状況は、ナースセンター３００の管理装置５において、患者毎のログ情報として記録、管理される。
【００６３】
なお、本形態においては、薬収納具の制御部９０において、ケース１０−１に取り付けられたＲＦ−ＩＤタグ１１−１に書き込まれた情報が情報読取部７０にてアンテナ２１−１を介して読み取られない状態が発生した場合であって、薬収納具の盤面に設けられたボタン５０−１〜５０−４のうち、ランプ３０−１に対応するボタン５０−１が押下された場合に、ランプ３０−１及びボタン５０−１に対応したケース収容袋２０−１からケース１０−１が取り出され、ケース１０−１に収納された薬が服用されたと判断され、ランプ３０−１が消灯する場合を例に挙げて説明したが、ケース１０−１に取り付けられたＲＦ−ＩＤタグ１１−１に書き込まれた情報が情報読取部７０にてアンテナ２１−１を介して読み取られない状態が発生した場合に、ランプ３０−１及びボタン５０−１に対応したケース収容袋２０−１からケース１０−１が取り出され、ケース１０−１に収納された薬が服用されたと判断され、ランプ３０−１が消灯するような構成とすることも考えられる。ただし、ボタン５０−１が押下されたことによって、ケース１０−１に収納された薬が服用されたと判断するように構成すれば、例えば、患者やその家族が、ケース収容袋２０−１からケース１０−１を取り出したものの、ケース１０−１に収納された薬を患者が服用せずにケース１０−１を再度ケース収容袋２０−１に収容した場合に、ケース１０−１に収納された薬が服用されたと判断されてしまうことを防ぐことができる。
【００６４】
また、本形態においては、ケース１０−１〜１０−４に取り付けられたＲＦ−ＩＤタグ１１−１〜１１−４に、ケース１０−１〜１０−４に収納された薬についての服用時間情報と患者ＩＤと投薬ＩＤとが記録されているが、ＲＦ−ＩＤタグ１１−１〜１１−４に、患者ＩＤと、取り付けられるケース２０−１〜２０−４を識別可能なケースＩＤとを第１の情報として記録しておくとともに、制御部９０において、このケースＩＤに対応づけて服用時間情報と投薬ＩＤとを登録しておき、アンテナ２１−１〜２１−４を介してＲＦ−ＩＤタグ１１−１〜１１−４から読み取られるケースＩＤによって服用時間や薬の種類等を管理することも考えられる。また、服用時間情報については、食事の配給時間により随時変更可能にするために、ナースセンター３００に設けられた管理装置５から薬収納具１ａ−１〜１ａ−４，１ｂ−１〜１ｂ−４に対して送信し、薬収納具１ａ−１〜１ａ−４，１ｂ−１〜１ｂ−４の通知部８０を経由して制御部９０から情報読取部７０を介してＲＦ−ＩＤタグ１１−１〜１１−４に記録することも考えられる。
【００６５】
また、上述したように、患者ラベル６０に取り付けられたＲＦ−ＩＤタグ６１に、患者を識別可能な患者ＩＤを書き込んでおき、この患者ＩＤを薬収納具のアンテナ６２にて読み取り、薬収納具を識別可能な薬収納具ＩＤとともにＬＡＮ２００を介してナースセンター３００等の管理室に通知することにより、どの患者がどの病室のどのベッドに入院しているかを認識することができる。
【００６６】
【発明の効果】
以上説明したように本発明においては、服用すべき薬が服用すべきタイミング毎に分けられて配置される少なくとも１つの配置領域を有してなる薬収納具において、薬を収納可能に構成されるとともに、薬を服用すべきタイミングを指定するための第１の情報が書き込まれたＲＦ−ＩＤタグが取り付けられ、配置領域に配置される収納容器と、配置領域に配置された収納容器に取り付けられたＲＦ−ＩＤタグに書き込まれた情報を読み取るための情報読取手段と、配置領域に対応して設けられ、当該配置領域に配置された収納容器に収納された薬を服用すべきタイミングでありながらも当該薬が服用されていない旨を報知する報知手段と、配置領域に配置された収納容器に取り付けられたＲＦ−ＩＤタグに書き込まれた第１の情報によって指定されるタイミングから、ＲＦ−ＩＤタグに書き込まれた情報が情報読取手段にて読み取られない状態が発生するまでの間、収納容器に収納された薬が服用されていない旨を報知手段を介して報知する制御手段とを有する構成としたため、患者が薬を服用すべきタイミングにて薬を服用していない場合に、薬を服用するまで、患者に対して、収納容器に収納された薬が服用されていない旨を報知することができる。
【００６７】
また、配置領域に対応して設けられ、当該配置領域に配置された収納容器に収納された薬が服用された場合にその旨を入力するための指示手段を有し、制御手段が、配置領域に配置された収納容器に取り付けられたＲＦ−ＩＤタグに書き込まれた第１の情報によって指定されるタイミングから、ＲＦ−ＩＤタグに書き込まれた情報が情報読取手段にて読み取られない状態が発生し、かつ、収納容器に収納された薬が服用された旨が指示手段を介して入力されるまでの間、収納容器に収納された薬が服用されていない旨を報知手段を介して報知する構成としたものにおいては、患者やその家族が、配置領域から収納容器を取り外したものの、収納容器に収納された薬を患者が服用せずに収納容器を再度配置領域に配置した場合に、収納容器に収納された薬が服用されたと判断されてしまうことを防ぐことができる。
【００６８】
また、ＲＦ−ＩＤタグには、該ＲＦ−ＩＤタグが取り付けられた収納容器に収納された薬を服用すべき患者を識別可能な第２の情報が書き込まれており、薬収納具に取り付け可能に構成され、薬を服用すべき患者を識別可能な患者識別情報が書き込まれたラベルを有し、情報読取手段が、ラベルに書き込まれた患者識別情報を読み取り、ＲＦ−ＩＤタグに書き込まれた第２の識別情報によって識別される患者とラベルに書き込まれた患者識別情報によって識別される患者とが同一でない場合に警報が出力される警報出力手段を有し、制御手段が、情報読取手段にてＲＦ−ＩＤタグから読み取られた第２の情報と情報読取手段にてラベルから読み取られた患者識別情報とを照合し、両者が一致しない場合に警報出力手段を介して警報を出力する構成としたものにおいては、患者が他の患者に処方された薬を誤って服用してしまうことを防止することができる。
【００６９】
また、このような薬収納具を用いた薬服用管理システムにおいて、ＲＦ−ＩＤタグには、該ＲＦ−ＩＤタグが取り付けられた収納容器に収納された薬を服用すべき患者を識別可能な第２の情報及び当該薬を識別可能な第３の情報が書き込まれており、ネットワークを介して薬収納具と接続され、薬収納具にてＲＦ−ＩＤタグから読み取られた第１、第２及び第３の情報に基づいて薬の服用状態を管理する管理手段を有し、薬収納具が、収納容器に収納された薬が服用されていない旨が報知手段を介して報知される場合に、情報読取手段にてＲＦ−ＩＤタグから読み取られた第１、第２及び第３の情報をネットワークを介して管理手段に通知する通知手段を有する構成としたものにおいては、管理手段において、通知された第１、第２及び第３の情報に基づいて薬の服用状態を管理することもできる。
【００７０】
また、管理手段が、薬収納具から通知された情報に基づいて、収納容器に収納された薬を服用すべきタイミングにて当該薬が服用されていない旨を出力する服用状態出力手段を有する構成としたものにおいては、管理手段においても、収納容器に収納された薬を服用すべきタイミングでありながらも当該薬が服用されていない旨を認識することができる。
【図面の簡単な説明】
【図１】本発明の薬収納具の実施の一形態を示す図であり、（ａ）は薬が収納されたケースが取り付けられている状態を示す図、（ｂ）はケース及び患者ラベルが取り外された状態を示す図である。
【図２】図１に示した薬収納具の構成を示すブロック図である。
【図３】図１及び図２に示した薬収納具の動作を説明するためのフローチャートである。
【図４】図１及び図２に示した薬収納具を用いた薬服用管理システムの一例を示す図である。
【符号の説明】
１ａ−１〜１ａ−６，１ｂ−１〜１ｂ−６    薬収納具
２ａ−１〜２ａ−６，２ｂ−１〜２ｂ−６    ベッド
４ａ，４ｂ    表示装置
５    管理装置
１０−１〜１０−４    ケース
１１−１〜１１−４，６１    ＲＦ−ＩＤタグ
２０−１〜２０−４    ケース収容袋
２１−１〜２１−４，６２    アンテナ
３０−１〜３０−４    ランプ
４０    ブザー
５０−１〜５０−４    ボタン
６０    患者ラベル
７０    情報読取部
８０    通知部
９０    制御部
１００ａ，１００ｂ    病室
２００    ＬＡＮ
３００    ナースセンター
【図１】
2005013488.tif 000003
【図２】
2005013488.tif 000004
【図３】
2005013488.tif 000005
【図４】
2005013488.tif 000006